(57)【特許請求の範囲】
【請求項１】
サンゴ着床装置と、サンゴ増殖基盤とで構成し、
サンゴ着床装置は、
サンゴ着床基盤と着床媒体としての着床具と、抑え板により構成し、
着床基盤は、基盤と支柱とより構成し、
基盤は、複数本の支柱を設立させた盤体であり、
着床具は、平面視で大きい面積の着床盤と、
着床盤と一体であって、かつ平面視でその着床盤より小さい面積の支持部と、
着床盤と支持部を貫通する貫通孔とより構成し、
貫通孔の内径は、基盤に設立した支柱の外径よりも大きく形成し、
抑え板は、基板に立設した支柱の間隔と同一の間隔で穴を開口してある短冊状の板であって、支柱群に設置する着床具を上から抑えて抜け出しを防止でき、かつ着床具を支柱から引き出しできるように取り付けてあり、
一方、サンゴ増殖基盤は、
固定盤と、
固定盤に立設した支柱である増殖柱とで形成したことを特徴とした、
サンゴの増殖装置。
【請求項２】
請求項１記載のサンゴ着床装置と、サンゴ増殖基盤とを使用し、
サンゴ増殖基盤は、固定盤の上に増殖柱としての支柱を設立してあり、
海底の所定の位置にサンゴ着床装置を設置し、
サンゴ着床装置の基盤の支柱に着床具の貫通孔を通して複数の着床具を設置し、
抑え板を、支柱群に設置した着床具を上から抑えて抜け出しを防止でき、かつ着床具を支柱から引き出しできるように取り付け、
着床具にサンゴ幼生が着床したらその着床具を支柱から取り外し、
他の海底に設置したサンゴ増殖基盤の増殖柱に、
サンゴ着床装置の支柱から取り外した着床具をその貫通孔を通して設置して、サンゴの増殖を行うことを特徴とした、
サンゴの増殖方法。
【発明の詳細な説明】
【技術分野】
【０００１】
本発明は、サンゴを増殖するための装置と、サンゴを増殖する方法に関するものである。
【背景技術】
【０００２】
近年わが国ではサンゴの初期生活史に関する様々な研究が進んだ結果、サンゴの産卵、受精、着生の詳細が明らかになり、有性生殖により作られた稚サンゴによる移植が実用化されるようになった。
この手法は、既存群体（ドナー）を傷つけることなく、自然の一斉産卵を利用するため、多様な種が着生し、自然状態と同様の種構成による移植が可
能である。また、幼生を用いるため、単一の移植群体のもととなる群体（ドナー）から遺伝的に同じ個体を複数移植する場合と比べて、同一種内の遺伝的多様性も確保可能であるなど優れた点が多い移植法である
この方法には、実験室において稚サンゴを生産する方法と野外において採苗する方法等があるが、野外の場合は幼生着床のための着床具を設置するだけですみ、比較的安価に稚サンゴを生産することができる
屋外採苗のために最近開発された着床具ａは図４に示すような、杯状に焼成した直径40 mm×高さ40mmくらいのセラミック製の製品である。
これを縦に重ねてケースに収め、サンゴ産卵期前に海底に設置し、幼生の着生を待つと、約１年後には肉眼ではっきりと稚サンゴが識別できるほどに成長する。
着床具ａはそのまま移植種苗として使用するもので、移植時は海底にドリルで穴をあけ、着床具の下部に水中ボンドを付けて差し込む。
この着床具は軽量で大量生産が可能であり、一度に多くの着床具を設置し、幼生を着床させることができるため、大量の移植サンゴ種苗生産の可能性を持っているという特徴を備えている。
【先行技術文献】
【特許文献】
【０００３】
【特許文献１】特開２００４−１２１１９５号公報
【発明の概要】
【発明が解決しようとする課題】
【０００４】
しかし前記したような特許文献１、あるいは図４記載のサンゴ増殖装置にあっては、次のような問題点がある。
＜１＞  素材がセラミックであるために高価である。
＜２＞  セラミック製品の製造のために、専門の工場での生産が必要となる。
＜３＞  幼生が着床した着床具を増殖基盤に開けた穴に挿入して水中接着剤で接着する方法であるため、長期的な耐久性が不明である。
＜４＞  サンゴの成長にともない、流れや波の影響を受けてセラミック製の基盤が割れてサンゴが脱落した例がある。
＜５＞  移植先の増殖基盤に設置するために、あらかじめ水中で穴をあける作業が必要となる。
＜６＞  さらに移植先の増殖基盤に設置する際に、削孔した穴の中に接着剤などを使用しなければならない。
＜７＞  移植先の増殖基盤にあらかじめ穴をあけておくと、周囲に堆積した砂や異物、生物が穴に侵入している可能性があるので、それを除去する作業も必要となる。
【課題を解決するための手段】
【０００５】
上記のような課題を解決するために、本発明のサンゴの増殖装置はサンゴ着床装置と、サンゴ増殖基盤とで構成し、サンゴ着床装置は、サンゴ着床基盤と着床媒体としての着床具と、抑え板により構成し、着床基盤は、基盤と支柱とより構成し、基盤は、複数本の支柱を設立させた盤体であり、着床具は、平面視で大きい面積の着床盤と、着床盤と一体であって、かつ平面視でその着床盤より小さい面積の支持部と、着床盤と支持部を貫通する貫通孔とより構成し、貫通孔の内径は、基盤に設立した支柱の外径よりも大きく形成し、抑え板は、基板に立設した支柱の間隔と同一の間隔で穴を開口してある短冊状の板であって、支柱群に設置する着床具を上から抑えて抜け出しを防止でき、かつ着床具を支柱から引き出しできるように取り付けてあり、一方、サンゴ増殖基盤は、固定盤と、固定盤に立設した支柱である増殖柱とで形成したことを特徴としたことを特徴としたものである。
また本発明のサンゴの増殖方法は、前記のサンゴ着床装置と、サンゴ増殖基盤とを使用し、サンゴ増殖基盤は、固定盤の上に増殖柱としての支柱を設立してあり、海底の所定の位置にサンゴ着床装置を設置し、サンゴ着床装置の基盤の支柱に着床具の貫通孔を通して複数の着床具を設置し、抑え板を、支柱群に設置した着床具を上から抑えて抜け出しを防止でき、かつ着床具を支柱から引き出しできるように取り付け、着床具にサンゴ幼生が着床したらその着床具を支柱から取り外し、他の海底に設置したサンゴ増殖基盤の増殖柱に、サンゴ着床装置の支柱から取り外した着床具をその貫通孔を通して設置して、サンゴの増殖を行うことを特徴としたものである。
【発明の効果】
【０００６】
本発明のサンゴ増殖装置と増殖方法は以上説明したようになるから次のような効果を得ることができる。
＜１＞  着床具をコンクリート製にしたから、セラミックのような特殊な製造装置を必要とせず、現場近くの空き地などの任意の場所での製造が可能であり、経済的である。
＜２＞  多くのコンクリート製の海岸構造物がその耐久性を実証しているとおり、着床具をコンクリート製とすれば破損する可能性が低く、信頼性の高いサンゴの増殖を行うことができる。
＜３＞  あらかじめ増殖柱を設立したサンゴ増殖基盤に、サンゴ幼生が着床した着床具を挿入する構造であるから、増殖柱が破損しない限りサンゴの脱落が発生することがない。
＜４＞  増殖柱は、陸上において事前に固定板に溶接、ねじ込み、その他の方法で固定してあり、それを海底に沈めて使用するものである。そのために、従来のように岩盤に削孔する、内部に侵入した砂などの異物を排除する、接着剤を注入する、といった一連の作業が不要で経済的であり、かつ信頼性も高い。
【図面の簡単な説明】
【０００７】
【図１】本発明のサンゴ増殖方法の説明図。
【図２】増殖方法で使用するサンゴ着床具の実施例の説明図。
【図３】着床具を支柱に設置した状態の説明図。
【図４】従来のサンゴ着床具の実施例の説明図。
【発明を実施するための形態】
【０００８】
以下図面を参照にしながら本発明のサンゴ増殖装置とその方法の好適な実施の形態を詳細に説明する。
【実施例】
【０００９】
＜１＞全体の構成
本発明のサンゴの増殖方法は、着床工程で使用するサンゴ着床装置１と、増殖工程で使用するサンゴ増殖基盤２によって構成する。
そしてサンゴ着床装置１は、サンゴ着床基盤１１と着床具１２とによって構成する。
【００１０】
＜２＞サンゴ着床基盤
サンゴ着床基盤１１は、基盤１１１と支柱１１２とより構成する。
基盤１１１は、複数本の支柱１１２を設立させた盤体であり、例えば複数本の脚を設けたテーブル状の架台を使用する。
支柱１１２は鋼製、合成樹脂製などの棒状体であるが、複数個の着床具１２を貫通して積み上げた状態で設置することができるように、一定の長さを備えている。
【００１１】
＜３＞着床具（図２）
着床具１２は、コンクリート製の直径数ｃｍ、厚さ数ｃｍのブロックであり、例えば直径の異なる円盤をふたつ重ねた形状として形成する。
その場合に着床具１２は、平面視で大きい面積の着床盤１２２と、着床盤１２２と一体であって、かつ平面視でその着床盤１２２より小さい面積の支持部１２３とで構成する。
さらに着床盤１２２と支持部１２３にはその中央を貫通する貫通孔１２１を開口ける。
この貫通孔１２１の内径は、基盤に設立した支柱１１２の外径よりも大きく形成する。
この着床具１２はコンクリート製であるから、特別の工場で製造する必要はなく、型枠さえ運搬すれば、海底に設置する現場付近の空き地で簡単に製造することができる。
着床具１２の着床盤１２２の平面部１２４に溝を放射状に刻むなどの凹凸を形成すれば、着床効果を向上させることができる。
さらに支持部１２３の側面に、貫通孔１２１と平行の縦方向に溝を刻むなどの凹凸を形成すれば同様の効果を得ることができる。
【００１２】
＜４＞サンゴ増殖基盤
サンゴ増殖基盤２は、増殖工程で使用する装置であり、固定盤２１の上に増殖柱２２としての支柱を溶接して設立して形成する。
ここで「固定盤２１」とは板体だけを意味するのではなく、ブロック体も含む意味である。
この増殖柱２２の設立作業は、陸上で完全な管理のもとに行うことができるから、固定盤２１と増殖柱２２の両者は強固に一体化しており、海底に設置した場合にも転石の衝突などで破損しにくい。
増殖柱２２は、サンゴ着床装置１の支柱１１２と同様に、着床具１２の貫通孔１２１の内径よりも小さい外径の、鋼棒その他の棒状体である。
増殖柱２２には１個の着床具１２を、その貫通孔１２１を貫通させて設置するから、短い棒状体で構成することができる。
【００１３】
＜５＞サンゴ増殖方法
次に上記の装置などを利用したサンゴの増殖方法について説明する。
【００１４】
＜６＞準備工程
陸上において、サンゴ着床装置１の支柱１１２に、着床具１２の貫通孔１２１を貫通させて設置する。
支柱１１２は一定の長さを備えているから、１本の支柱１１２に多数個の着床具１２を積み重ねた状態で設置することができる。
各着床具１２を、支持部１２３を下に、着床盤１２２を上にした状態で取り付けた場合に、着床盤１２２の下面にサンゴの幼生が着床する。
あるいは支持部１２３と着床盤１２２の上下を逆に取り付けることも可能であり、その場合には着床盤１２２の上面にサンゴの幼生が着床する。
さらに支持部１２３の側面にも着床する。
すべての支柱１１２に複数個の着床具１２を設置したら、一列の支柱１１２群の上に、１枚の抑え板１１３を取り付け、針金などを使ってその両端を基盤１１１に拘束する。
この抑え板１１３は、短冊状の鋼板であり、支柱１１２の間隔と同一の間隔で穴を開口してある。
したがって１枚の抑え板１１３によって、一列の支柱１１２群に設置した着床具１２を、上から抑えて波浪、潮流などによる抜け出しを防止することができる。
【００１５】
＜７＞着床工程
こうして多数の支柱１１２に、多数個の着床具１２を取り付け、その上から抑え板１１３で抑えたサンゴ着床装置１を、所定の海底に設置する。
すると時期の経過にしたがって着床具１２の着床盤１２２の平面部や場合によっては側面にサンゴ幼生が着床する。
こうして着底した幼生を半年から１年にかけて飼育する。
着床具１２の支持部１２３の高さを、１０ｍｍ以内に構成しておくと、ウニ類、魚類などの食害から保護することができ、順調な飼育を行うことができる。
【００１６】
＜８＞増殖工程
半年から１年後に、着床具１２を支柱１１２から引き出し、サンゴ幼生の着床状態を観察する。
そしてサンゴ幼生が着床した着床具１２だけを選別する。
選別した着床具１２を、増殖のしやすい海域に運搬して移植する。
その海域の海底には、前記したサンゴ増殖基盤２を設置してある。
その増殖柱２２に、サンゴ幼生の着床した着床具１２の貫通孔１２１を貫通させて設置する。
この増殖工程では、各着床具１２からそれぞれサンゴが増殖するので、１本の増殖柱２２には１個の着床具１２を設置することになる。
なお、場合によっては１個体が複数の着床具１２にまたがって増殖する場合も想定される。
【符号の説明】
【００１７】
１：サンゴ着床装置
１１：サンゴ着床基盤
１２：着床具
２：サンゴ増殖基盤
２１：固定盤
２２：増殖柱
【図１】
0005800390.tif 000002
【図２】
0005800390.tif 000003
【図３】
0005800390.tif 000004
【図４】
0005800390.tif 000005